(57)【特許請求の範囲】
【請求項１】
形状を変更自在なごみ箱において、
水が充填される樹脂製の複数のボトルと、
複数の前記ボトルそれぞれに連結された複数の支柱体であって、当該ボトルの口部に設けられた雄ネジに螺合した継手部を下端に有する複数の支柱体と、
ごみを収容するための薄膜状のごみ袋であって、変形自在なごみ袋と、
複数の前記支柱体それぞれの上端側に被せられ、前記ごみ袋を当該上端に固定する複数の固定キャップであって、当該ごみ袋を前記上端との間に挟み込んだ状態で当該上端側に被せられた複数の固定キャップと
を備えるごみ箱。
【請求項２】
ごみ箱において、
水が充填される樹脂製の複数のボトルと、
複数の前記ボトルそれぞれに連結された複数の支柱体であって、当該ボトルの口部に設けられた雄ネジに螺合した継手部を下端に有する複数の支柱体と、
ごみを収容するためのごみ袋と、
複数の前記支柱体それぞれの上端側に被せられ、前記ごみ袋を当該上端に固定する複数の固定キャップであって、当該ごみ袋を前記上端との間に挟み込んだ状態で当該上端側に被せられた複数の固定キャップとを備え、
前記ごみ袋の開口形状が多角形状であるごみ箱。
【請求項３】
ごみを分別回収する際に適用可能なごみ箱において、
水が充填される樹脂製の複数のボトルと、
複数の前記ボトルそれぞれに連結された複数の支柱体であって、当該ボトルの口部に設けられた雄ネジに螺合した継手部を下端に有する複数の支柱体と、
ごみを収容するための複数のごみ袋と、
複数の前記支柱体それぞれの上端側に被せられ、複数の前記ごみ袋それぞれを当該上端に固定する複数の固定キャップであって、当該ごみ袋を前記上端との間に挟み込んだ状態で当該上端側に被せられた複数の固定キャップとを備え、
複数の前記ごみ袋それぞれの開口形状が多角形状であるごみ箱。
【請求項４】
複数の前記固定キャップのうち前記支柱体が嵌り込んだ嵌合穴、及び複数の前記支柱体それぞれの上端側のうち少なくとも一方は、円錐テーパ状に構成されている請求項１ないし３のいずれか１項に記載のごみ箱。
【発明の詳細な説明】
【技術分野】
【０００１】
本発明は、ビニール製のごみ袋を利用したごみ箱に関する。
【背景技術】
【０００２】
例えば、特許文献１に記載のビニール製のごみ袋を利用したごみ箱では、洗濯ばさみ（ピンチ）等の挟持手段にて当該ごみ袋を吊り下げるように支持している。
【先行技術文献】
【特許文献】
【０００３】
【特許文献１】特許第６０６６２４２号公報
【発明の概要】
【発明が解決しようとする課題】
【０００４】
しかし、特許文献１に記載の発明では、洗濯ばさみ（ピンチ）等の挟持手段にてごみ袋を保持しているで、ごみ袋に多くのごみが溜まってくると、吊り下げられたごみ袋が挟持手段から滑り落ちてしまう可能性が高い、という問題がある。
【０００５】
本発明は、上記問題を解決可能なごみ箱等の一例を提供する。
【課題を解決するための手段】
【０００６】
第１の形状を変更自在なごみ箱は、水が充填される樹脂製の複数のボトル（２）と、複数のボトル（２）それぞれに連結された複数の支柱体（１１）であって、当該ボトル（２）の口部に設けられた雄ネジに螺合した継手部（１３）を下端に有する複数の支柱体（１１）と、ごみを収容するための薄膜状のごみ袋であって、変形自在なごみ袋（３）と、複数の支柱体（１１）それぞれの上端側に被せられ、ごみ袋（３）を当該上端に固定する複数の固定キャップ（１５）であって、当該ごみ袋（３）を上端との間に挟み込んだ状態で当該上端側に被せられた複数の固定キャップ（１５）とを備えることが望ましい。これにより、当該ごみ箱では、支柱体（１１）の上端側に固定されたごみ袋（３）が滑り落ちてしまうことが抑制され得る。
【０００７】
また、第２の形状を変更自在なごみ箱は、下端に倒れ防止部が設けられた複数の支柱体（１１）と、ごみを収容するための薄膜状のごみ袋であって、変形自在なごみ袋（３）と、複数の支柱体（１１）それぞれの上端側に被せられ、ごみ袋（３）を当該上端に固定する複数の固定キャップ（１５）であって、当該ごみ袋（３）を上端との間に挟み込んだ状態で当該上端側に被せられた複数の固定キャップ（１５）とを備えることが望ましい。これにより、当該ごみ箱においても、支柱体（１１）の上端側に固定されたごみ袋（３）が滑り落ちてしまうことが抑制され得る。
【０００８】
第３のごみ箱は、水が充填される樹脂製の複数のボトル（２）と、複数のボトル（２）それぞれに連結された複数の支柱体（１１）であって、当該ボトル（２）の口部に設けられた雄ネジに螺合した継手部（１３）を下端に有する複数の支柱体（１１）と、ごみを収容するためのごみ袋（３）と、複数の支柱体（１１）それぞれの上端側に被せられ、ごみ袋（３）を当該上端に固定する複数の固定キャップ（１５）であって、当該ごみ袋（３）を上端との間に挟み込んだ状態で当該上端側に被せられた複数の固定キャップ（１５）とを備え、ごみ袋（３）の開口形状が多角形状であることが望ましい。これにより、当該ごみ箱においても、支柱体（１１）の上端側に固定されたごみ袋（３）が滑り落ちてしまうことが抑制され得る。
【０００９】
また、ごみを分別回収する際に適用可能なごみ箱は、水が充填される樹脂製の複数のボトル（２）と、複数のボトル（２）それぞれに連結された複数の支柱体（１１）であって、当該ボトル（２）の口部に設けられた雄ネジに螺合した継手部（１３）を下端に有する複数の支柱体（１１）と、ごみを収容するための複数のごみ袋（３）と、複数の支柱体（１１）それぞれの上端側に被せられ、複数のごみ袋それぞれを当該上端に固定する複数の固定キャップ（１５）であって、当該ごみ袋（３）を上端との間に挟み込んだ状態で当該上端側に被せられた複数の固定キャップ（１５）とを備え、ごみ袋（３）それぞれの開口形状が多角形状であることが望ましい。これにより、当該ごみ箱においても、支柱体（１１）の上端側に固定されたごみ袋（３）が滑り落ちてしまうことが抑制され得る。
【００１０】
なお、各ごみ箱においては、複数の固定キャップ（１５）のうち支柱体（１１）が嵌り込む嵌合穴（１５Ａ）、及び複数の支柱体（１１）それぞれの上端側のうち少なくとも一方は、円錐テーパ状に構成されていることが望ましい。これにより、支柱体（１１）の上端側に固定されたごみ袋（３）が滑り落ちてしまうことが確実に抑制され得る。
【００１１】
ごみを収容するための薄膜状のごみ袋（３）を利用した形状を変更自在なごみ箱に用いられるごみ袋用スタンドは、棒状の支柱体（１１）と、支柱体（１１）の一端側に設けられ、当該支柱体（１１）を起立させるための倒れ防止部（１２）と、支柱体（１１）の他端側に被せられ、ごみ袋（３）を当該上端に固定するための固定キャップ（１５）であって、ごみ袋（３）が固定される際に、当該ごみ袋（３）を上端との間に挟み込んだ状態で当該上端側に被せられる固定キャップ（１５）とを備えることが望ましい。これにより、当該支柱をごみ箱に利用すれば、支柱体（１１）の上端側に固定されたごみ袋（３）が滑り落ちてしまうことが抑制され得る。
【００１２】
なお、当該ごみ袋用スタンドにおいては、固定キャップ（１５）のうち支柱体（１１）が嵌り込む嵌合穴（１５Ａ）、及び支柱体（１１）の上端側のうち少なくとも一方は、円錐テーパ状に構成されていることが望ましい。これにより、支柱体（１１）の上端側に固定されたごみ袋（３）が滑り落ちてしまうことが確実に抑制され得る。
【００１３】
因みに、上記各括弧内の符号は、後述する実施形態に記載の具体的構成等との対応関係を示す一例であり、本発明は上記括弧内の符号に示された具体的構成等に限定されない。
【図面の簡単な説明】
【００１４】
【図１】第１実施形態に係るごみ箱を示す説明図である。
【図２】第１実施形態に係るごみ箱を示す説明用の上面図である。
【図３】第１実施形態に係る継手部を示す説明図である。
【図４】第１実施形態に係るごみ袋用スタンドを示す説明図である。
【図５】第１実施形態に係る固定キャップを示す説明図である。
【図６】第１実施形態に係る固定キャップの利用方法の説明図である。
【図７】第１実施形態に係るごみ箱を示す説明用の上面図である。
【図８】第１実施形態に係るごみ箱を示す説明用の上面図である。
【図９】第１実施形態に係るごみ箱を示す説明用の図である。
【図１０】第２実施形態に係るごみ箱におけるごみ袋用スタンド利用方法を示す説明図である。
【図１１】第２実施形態に係るごみ箱を示す説明用の上面図である。
【図１２】第３実施形態に係る倒れ防止部を示す説明図である。
【図１３】Ａ及びＢは、第４実施形態に係る倒れ防止部を示す説明図である。
【図１４】その他の実施形態の説明図である。
【図１５】Ａ及びＢは、その他の実施形態の説明図である。
【図１６】その他の実施形態の説明図である。
【発明を実施するための形態】
【００１５】
以下の「発明の実施形態」は、本発明の技術的範囲に属する実施形態の一例を示すものである。つまり、特許請求の範囲に記載された発明特定事項等は、下記の実施形態に示された具体的構成や構造等に限定されない。
【００１６】
なお、各図に付された方向を示す矢印及び斜線等は、各図相互の関係及び各部材又は部位の形状を理解し易くするために記載されたものである。したがって、本発明に示された発明は、各図に付された方向に限定されない。斜線が付された図は、必ずしも断面図を示すものではない。
【００１７】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本発明に示されたごみ箱及びごみ袋用スタンドは、少なくとも符号が付されて説明された部材又は部位等の構成要素、並びに図示された構造部位を備える。
【００１８】
（第１実施形態）
＜１．ごみ箱の概要＞
図１及び図２に示されるごみ箱１は、本開示に係るごみ袋用スタンド１０（以下、スタンド１０と記す。）を利用したごみ箱である。当該ごみ箱１は、形状を変更自在である。つまり、図１及び図２に示されたごみ箱１の形状は、当該ごみ箱１の一例であって、本開示に係るごみ箱１の開口形状は、図２に示された多角形状（具体的には、矩形状）に限定されない。
【００１９】
＜１．２  ごみ箱の構造＞
ごみ箱１は、図１及び図２に示されるように、複数のボトル２、少なくとも１つのごみ袋３、及び複数のスタンド１０等を備える。
【００２０】
＜ボトル＞
複数のボトル２それぞれは同一の構造である。各ボトル２は、水が充填される樹脂製の容器である。本実施形態に係る各ボトル２は、図３に示されるように、円筒状の口部２Ａの外周に雄ネジ２Ｂが設けられている。
【００２１】
各口部２Ａは、各ボトル２内に水等の液体を注入する場合、又は注入された液体を排出する場合に利用される開口部である。雄ネジ２Ｂを含む口部２Ａは、ボトル２と共に樹脂（例えば、ＰＥＴ）にて一体成形されている。
【００２２】
＜ごみ袋＞
ごみ袋３は、ごみを収容するための薄膜状の袋体であって、変形自在な袋である。本実施形態に係るごみ袋３は、いわゆる「地方自治体の指定ごみ袋」である。
【００２３】
＜スタンド＞
複数のスタンド１０それぞれは同一の構造である。各スタンド１０は、図１に示されるように、ごみ袋３の開口３Ａを開いた状態で所定の高さに保持するための柱状の部材である。
【００２４】
すなわち、ごみ袋３は薄膜状であるので、当該ごみ袋３は自ら開口３Ａを開いた状態を保持できない。各スタンド１０は、開口３Ａを開いた状態を保持し、当該ごみ袋３をごみ
箱として機能させる。
【００２５】
＜２．  スタンドの詳細構造＞
各スタンド１０は、図４に示されるように、棒状の支柱体１１及び固定キャップ１５等を少なくとも備える。本実施形態に係る支柱体１１は、塩化ビニールパイプ等の樹脂製の管材にて構成されている。
【００２６】
＜支柱体＞
支柱体１１の一端側（図４では、下端側）には、倒れ防止部１２が設けられている。倒れ防止部１２は、支柱体１１が倒れないように起立させるため部位である。本実施形態に係る倒れ防止部１２は、図３に示されるように、継手部１３により構成されている。
【００２７】
継手部１３は、ボトル２の口部２Ａに設けられた雄ネジ２Ｂに螺合した雌ねじ１３Ａを有する円筒状の部位である。以下の説明では、特に断りをした場合を除き、継手部１３は倒れ防止部１２を意味する。
【００２８】
なお、本実施形態に係る継手部１３は、接着又は溶着等により支柱体１１を構成する塩化ビニールパイプに一体化されている。そして、継手部１３の外周にはローレット加工等で形成された滑り止め部１３Ｂ（図４参照）が設けられている。
【００２９】
本実施形態に係る継手部１３では、口部２Ａと継手部１３の内面との間にパッキン等の封止体１３Ｃが配置されている。封止体１３Ｃは、口部２Ａと継手部１３の内面とを液密に封止するシール構造を構成するものである。
【００３０】
これにより、ボトル２内に充填された水がボトル２から流出してしまうことが抑制される。なお、ボトル２内に充填される水量は、ボトル２の容積の７０％以上、１００％未満が望ましい。
【００３１】
＜固定キャップ＞
固定キャップ１５は、図１に示されるように、支柱体１１の他端側（図１では、上端側）に被せられるものであって、ごみ袋３の開口３Ａ側を支柱体１１の上端に固定するための蓋体である。
【００３２】
すなわち、固定キャップ１５は、図４に示されるように、ごみ袋３の開口３Ａ側がスタンド１０に固定される際に、当該ごみ袋３を支柱体１１の上端との間に挟み込んだ状態で当該上端側に被せられる。
【００３３】
固定キャップ１５のうち支柱体１１が嵌り込む嵌合穴１５Ａ（図５参照）、及び支柱体１１の上端側のうち少なくとも一方（本実施形態では、嵌合穴１５Ａのみ）は、円錐テーパ状に構成されている。
【００３４】
なお、本実施形態に係る固定キャップ１５は、支柱体１１と同一材料にて構成されている。そして、固定キャップ１５の外周には、ローレット加工等で形成された滑り止め部１５Ｂが設けられている。
【００３５】
＜３．スタンドの使用方法（図６参照）＞
本実施形態に係るスタンド１０を利用する者（以下、利用者という。）は、以下のようにしてごみ袋３の開口３Ａ側を支柱体１１の上端に固定することが可能である。
【００３６】
すなわち、利用者は、ごみ袋３の開口３Ａ側を支柱体１１の上端に配置した状態で固定
キャップ１５を当該上端に被せる。これにより、ごみ袋３の開口３Ａ側は、支柱体１１の上端を覆った状態で当該上端と固定キャップ１５とにより強固に挟み固定される（図１参照）。
【００３７】
また、利用者は、利用するスタンド１０の本数、各スタンド１０の長手方向寸法、及び各スタンド１０を載置する位置を適宜選択することにより、図２、図７〜図９に示されるように、ごみ箱１の形状を自在に変更することができる。
【００３８】
つまり、利用者は、例えば、狭い場所にごみ箱１を設置する際には、複数のスタンド１０の当該狭い場所に適した位置に配置することができる（図７参照）。利用者は、部屋の隅にごみ箱１を設置する際には、例えば、３本のスタンド１０の三角状に配置することができる（図８参照）。
【００３９】
また、利用者は、長手方向寸法が比較的に短いスタンド１０を利用すれば、図９に示されるように、ごみ箱１の上方に障害物があるスペースにも当該ごみ箱１を設置できる。つまり、本実施形態に係るごみ箱１及びスタンド１０を利用する際には、利用者は、利用環境に応じてスタンド１０を配置すればよい。
【００４０】
＜４．本実施形態に係るごみ箱及びスタンドの特徴＞
固定キャップ１５は、ごみ袋３を支柱体１１の上端との間に挟み込んだ状態で当該上端側に被せられる。これにより、ごみ袋３の開口３Ａ側は、支柱体１１の上端を覆った状態で当該上端と固定キャップ１５とにより強固に挟み固定される。
【００４１】
本実施形態に係るごみ箱１及びスタンド１０を利用する利用者は、利用環境に応じてスタンド１０を適宜配置したり、利用するごみ袋３の大きさ及び形状を適宜選択することにより、上記のように、ごみ箱１の形状を自在に変更することができる。
【００４２】
延いては、利用者は、スタンド１０及びごみ袋３を適宜選択又は配置することにより、利用の生活環境に応じたコンパクトごみ箱や部屋の隅（コーナ）に置くに適したごみ箱等を容易かつ安価に得ることができる。
【００４３】
（第２実施形態）
上述の実施形態に係るごみ箱１は、ごみ袋３が１つの場合の利用例であった。本実施形態は、複数のごみ袋３を利用したごみ箱１の例である。
【００４４】
すなわち、図１０に示されるように、利用者は、複数のごみ袋３を重ねた状態で固定キャップ１５を支柱体１１に被せることにより、複数のごみ袋３を１本のスタンド１０に固定でき得る。
【００４５】
これにより、利用者は、例えば図１１に示されるように、複数のごみ袋３を連結した状態のごみ箱１を構成することができる。つまり、利用者は、ごみ袋３の数及び各ごみ袋３の配置位置等に応じてスタンド１０の本数を適宜準備するとともに、それらスタンド１０を適宜配置すれば、利用者は、図１１に示されるようなごみ箱も得ることができる。
【００４６】
複数のごみ袋３を連結した状態のごみ箱１であれば、利用者は、当該ごみ箱１を、例えば、ごみを分別回収する際に適用可能なごみ箱を容易かつ安価に得ることができる。
【００４７】
なお、上述の実施形態と同一の構成要件等は、上述の実施形態と同一の符号が付されている。このため、本実施形態では、重複する説明は省略されている。
【００４８】
（第３実施形態）
上述の実施形態に係る倒れ防止部１２は、継手部１３を利用した構成であった。これに対して、本実施形態に係る倒れ防止部１２は、図１２に示されるように、鋼材又はコンクリート等の密度の大きい材料製の錘部１４により構成されている。
【００４９】
錘部１４の外形寸法（直径寸法）は、支柱体１１の直径寸法より大きいことが望ましい。当該外形寸法は、支柱体１１の長手方向寸法及び錘部１４の密度等に基づいて適宜選択される寸法である。
【００５０】
なお、上述の実施形態と同一の構成要件等は、上述の実施形態と同一の符号が付されている。このため、本実施形態では、重複する説明は省略されている。
【００５１】
（第４実施形態）
第１実施形態に係る倒れ防止部１２は、継手部１３を利用した構成であった。これに対して、本実施形態に係る倒れ防止部１２は、図１３Ａ及び図１３Ｂに示されるように、支柱体１１に直径寸法に比べて十分に大きい脚部１６により構成されている。
【００５２】
本実施形態に係る脚部１６は、図１３Ｂに示されるように、矩形状の板材にて構成されている。支柱体１１は、取付部１６Ａを介して当該脚部１６の角部（隅部）に固定されている。
【００５３】
これにより、脚部１６の外形寸法が過度に大きくなることなく、支柱体１１に直径寸法に比べて十分に大きい長さ部分を脚部１６に確保することが可能となる。延いては、支柱体１１が倒れることを確実に抑制でき得る。
【００５４】
なお、上述の実施形態と同一の構成要件等は、上述の実施形態と同一の符号が付されている。このため、本実施形態では、重複する説明は省略されている。
【００５５】
（その他の実施形態）
上述の実施形態では、固定キャップ１５のうち支柱体１１が嵌り込む嵌合穴１５Ａが円錐テーパ状に構成されていた（図５参照）。しかし、本開示はこれに限定されるものではない。すなわち、本開示は、例えば、図１４に示されるように、支柱体１１の上端側、つまり支柱体１１のうち嵌合穴１５Ａに嵌り込む部位が円錐テーパ状に構成されていてもよい。
【００５６】
上述の実施形態では、固定キャップ１５に支柱体１１が嵌り込む嵌合穴１５Ａが設けられていた。しかし、本開示はこれに限定されるものではない。すなわち、本開示は、例えば、図１５Ａ又は図１５Ｂに示されるように、支柱体１１の上端に設けられた嵌合穴１１Ａに固定キャップ１５が嵌め込まれることにより、当該固定キャップ１５が支柱体の上端側に被せられる構成であってもよい。なお、図１５Ａは、固定キャップ１５に円錐テーパが設けられた例であり、図１５Ｂは、支柱部１１に円錐テーパが設けられた例である。
【００５７】
上述の実施形態に係る固定キャップ１５は、嵌合穴１５Ａの上部が閉塞された構成であった。しかし、本開示はこれに限定されるものではない。すなわち、本開示は、例えば、図１６に示されるように、嵌合穴１５Ａの内部と当該嵌合穴１５Ａの外部とを連通させる連通穴１５Ｃが設けられた構成であってもよい。これにより、嵌合穴１５Ａ内の圧力が外部と均衡するので、固定キャップ１５の着脱が容易となる。
【符号の説明】
【００５８】
１… ごみ箱
２… ボトル
２Ａ… 口部
３… ごみ袋
３Ａ… 開口
１０… ごみ袋用スタンド
１１… 支柱体
１２… 防止部
１３… 継手部
【要約】
【課題】  形状を変更自在なごみ箱等の一例を提供する。
【解決手段】  ごみ袋３を固定キャップ１５にて支柱体１１の上端との間に挟み込んだ状態で当該上端側に固定する。これにより、ごみ袋３の開口３Ａ側は、支柱体１１の上端を覆った状態で当該上端と固定キャップ１５とにより強固に挟み固定される。さらに、ごみ箱１及びスタンド１０を利用する利用者は、利用環境に応じてスタンド１０を適宜配置したり、利用するごみ袋３の大きさ及び形状を適宜選択することにより、ごみ箱１の形状を自在に変更することができる。
【選択図】図１【図１】
0006845598.tif 000002
【図２】
0006845598.tif 000003
【図３】
0006845598.tif 000004
【図４】
0006845598.tif 000005
【図５】
0006845598.tif 000006
【図６】
0006845598.tif 000007
【図７】
0006845598.tif 000008
【図８】
0006845598.tif 000009
【図９】
0006845598.tif 000010
【図１０】
0006845598.tif 000011
【図１１】
0006845598.tif 000012
【図１２】
0006845598.tif 000013
【図１３】
0006845598.tif 000014
【図１４】
0006845598.tif 000015
【図１５】
0006845598.tif 000016
【図１６】
0006845598.tif 000017